(57)【要約】【課題】複数の再生ユニットを有し、それぞれの再生ユニットが規格の異なる２種類以上の光ディスクを再生することができ、しかも再生ユニットが少なくとも１つ以上の同一規格の光ディスクを共通に再生できる自動車用の光ディスクの再生装置において、光ディスクの規格の判別のための時間を短縮する。【解決手段】第１の再生ユニット３１と第２の再生ユニット３２で光ディスクの種別の判別の順位を変更する。【選択図】  図６
2004241066.tif 000002
【特許請求の範囲】
【請求項１】
複数の再生ユニットを有し、それぞれの再生ユニットが規格の異なる２種類以上の媒体を再生することができるとともに、前記複数の再生ユニットは少なくとも１つ以上の同一規格の媒体を共通に再生できる再生装置であって、
前記複数の再生ユニットが規格の異なる２種類以上の媒体を判別する順序が異なることを特徴とする再生装置。
【請求項２】
２組の再生ユニットを有し、それぞれの再生ユニットが規格の異なる２種類以上の媒体を再生することができるとともに、前記２組の再生ユニットは少なくとも１つ以上の同一規格の媒体を共通に再生できる再生装置であって、
前記２組の再生ユニットが規格の異なる２種類以上の媒体を判別する順序が異なることを特徴とする再生装置。
【請求項３】
前記再生ユニットはディスク状記録媒体を再生することを特徴とする請求項１または請求項２に記載の再生装置。
【請求項４】
前記再生ユニットは互いに規格の異なる２種類以上の光ディスクを再生することを特徴とする請求項１または請求項２に記載の再生装置。
【請求項５】
互いに規格の異なる光ディスクがＣＤ、ＳＡＣＤ、ＤＶＤであることを特徴とする請求項４に記載の再生装置。
【請求項６】
自動車のインストルメントパネルに組込まれる再生装置において、
複数の再生ユニットを有し、それぞれの再生ユニットが規格の異なる２種類以上の光ディスクを再生することができるとともに、前記複数の再生ユニットは少なくとも１つ以上の同一規格の光ディスクを共通に再生でき、
前記複数の再生ユニットが規格の異なる２種類以上の光ディスクを判別する順序が異なることを特徴とする再生装置。
【請求項７】
２組の再生ユニットを有し、一方の再生ユニットがカーナビゲーション装置の地図ソフトが記憶された光ディスクを主として再生し、他方の再生ユニットがオーディオ用またはビデオ用のソフトが記憶された光ディスクを主として再生することを特徴とする請求項６に記載の再生装置。
【請求項８】
複数の再生ユニットを有し、それぞれの再生ユニットが規格の異なる２種類以上の媒体を再生することができるとともに、前記複数の再生ユニットは少なくとも１つ以上の同一規格の媒体を共通に再生できる再生装置において、
前記複数の再生ユニットが規格の異なる２種類以上の媒体を判別する順序が異なることを特徴とする再生装置の媒体の規格の判別方法。
【発明の詳細な説明】
【０００１】
【発明の属する技術分野】
本発明は再生装置およびその媒体の規格の判別方法に係り、とくに規格の異なる２種類以上の媒体を再生できる複数の再生ユニットを有する再生装置およびその規格の判別方法に関する。
【０００２】
【従来の技術】
ポリカーボネート樹脂等のディスク状記録媒体の表面にデジタル信号を書込んだ光ディスクが広く利用されている。このような光ディスクをターンテーブルによって所定の回転数で回転駆しながら上記光ディスクの半径方向に光ピックアップを移動させることによって、上記の信号の読取りが可能になる。そして従来の再生装置は単一の再生ユニットから構成されており、単一の光ディスクを装着して信号の読出しを行なうようになっている。
【０００３】
このような単一の再生ユニットから成る再生装置によれば、再生機能と書込み機能とが同一のユニットによって達成されることになるために、同時並行してある光ディスクから別の光ディスクへの信号の書込み、すなわちコピーを行なうことができない。また映画等のような長編ビデオを観る場合に、１度で観終えることができず、光ディスクを装着したままで何回かに分けて観ることが考えられる。この場合に映画を観るには短すぎるが比較的短い時間的な余裕ができた場合にＣＤ等によって音楽を聴こうとすると、映画のソフトが入っている光ディスクを取出してＣＤを装着しなければならず、光ディスクの交換操作が煩雑である。
【０００４】
また自動車のインストルメントパネルに組込まれるディスク式再生装置が単一の再生ユニットしかない場合には、カーナビゲーション装置を使用する際に上記の再生ユニットで地図ソフトが書込まれたＤＶＤ−ＲＯＭやＣＤ−ＲＯＭを使用することになり、このためにＣＤで音楽を聴いたり、ＤＶＤでビデオを観たりすることができなくなる。すなわち再生装置によって光ディスクからオーディオ信号やビデオ信号を出力して楽しむ機能とナビゲーション機能とを同時に使用することができない。
【０００５】
一方複数の光ディスクを自動的に交換して再生するカーオーディオ用のインダッシュチェンジャーが提案されている。インダッシュチェンジャーは複数枚の光ディスクを収納しておき、それらの内の任意の１枚を選択して再生するものである。このようなインダッシュチェンジャーによれば、２枚の光ディスクを同時に並行して再生することができず、カーナビゲーション機能とオーディオ機能あるいはビデオ機能を同時に使用することができない。一方でローディングやターンテーブル等の機械、あるいは光学ピックアップを複数個備えることは、現実の再生装置においてコスト的にそれ程困難ではない。
【０００６】
なお特開２００２−１１７６１４号公報には、キー操作部は、利用者の操作に従って、ディスク種別を判別するための優先順位を規定する順位情報を入力するようになっており、マイコンはキー操作部を介して入力した順位情報を優先順位テーブルとしてＲＡＭに記憶し、しかもコンは記憶部に任意ディスクがセットされると、上記ＲＡＭに記憶した優先順位テーブルに従って記録再生部を制御しフォーカス調整等を順次変化させながら、セットされたディスクの種別を判別し、マイコンは記録再生部を制御し、判別したディスク判別に従って、さらにゲイン調整等を行ない、ディスクに記録された記録を読出すようにし、これによって利用者の使用態様に合わせて、ディスク種別を迅速に判別することができるディスク装置が開示されている。
【０００７】
【特許文献１】特開２００２−１１７６１４号公報
【特許文献２】特開２０００−１６３８５５号公報
【特許文献３】特開２０００−２０７８１２号公報
【発明が解決しようとする課題】
光ディスクプレーヤによって再生される光ディスクの内でも、直径が１２０ｍｍの光ディスクとして、ＣＤ、ＤＶＤ、ＳＡＣＤ（Ｓｕｐｅｒ  Ａｕｄｉｏ  ＣＤ）等様々な規格のものが提案されている。なおこれらについてはそれぞれの専用の再生装置も提供されているが、これらの総ての光ディスクあるいはその中のいくつかの異なった規格の光ディスクに１つの機器で対応できるマルチディスクプレーヤと呼ばれる再生装置が提供されるようになっている。これは光ディスクの種類に応じてターンテーブルによってその回転数を制御し、あるいはまた光ピックアップのフォーカス制御やトラッキングサーボを変えることによって複数の規格の光ディスクを互換性をもって読取りを行なうことができるからである。
【０００８】
このようなマルチディスクプレーヤにおいて、光ディスクが装着されると、この光ディスクの再生に先立って、どの規格の光ディスクかを判別する必要がある。このためにまずＣＤの規格に合わせて光ディスクの情報の読取りを行なう。そしてそこで情報が読取れなかった場合には、この光ディスクがＣＤ以外であるという判断を行ない、次に例えばＤＶＤの規格での読取りを行なう。このようにディスクの判別を行なう順序を一定の順序に設定しておき、この順序に従ってディスクの規格判別を行なっている。従って優先順位が低く設定された光ディスクを再生するまでに時間がかかってしまう。このような現象はとくにこのマルチディスクプレーヤによって再生される規格のディスクの種類を多くすれば多くするほどその問題が大きく現われる。
【０００９】
なお上記特開２００２−１１７６１４号公報に記載されているディスク判別方法は、ディスクの種別を迅速に判断するために優先順位を利用者が任意に設定できるようにしたものである。ところがこの再生装置は単一の再生装置を前提とするものであって、複数の再生ユニットを有する再生装置ではない。
【００１０】
本発明はこのような問題点に鑑みてなされたものであって、ディスクの判別が早くなって情報の読出しまでの時間を短縮することができるようにした複数の再生ユニットを有する再生装置およびその媒体の規格の判別方法を提供することを目的とする。
【００１１】
【課題を解決するための手段】
本願の主要な発明は、
複数の再生ユニットを有し、それぞれの再生ユニットが規格の異なる２種類以上の媒体を再生することができるとともに、前記複数の再生ユニットは少なくとも１つ以上の同一規格の媒体を共通に再生できる再生装置であって、
前記複数の再生ユニットが規格の異なる２種類以上の媒体を判別する順序が異なることを特徴とする再生装置に関するものである。
【００１２】
また本願の別の発明は、
２組の再生ユニットを有し、それぞれの再生ユニットが規格の異なる２種類以上の媒体を再生することができるとともに、前記２組の再生ユニットは少なくとも１つ以上の同一規格の媒体を共通に再生できる再生装置であって、
前記２組の再生ユニットが規格の異なる２種類以上の媒体を判別する順序が異なることを特徴とする再生装置に関するものである。
【００１３】
ここで前記再生ユニットはディスク状記録媒体を再生するものであってよい。また前記再生ユニットは互いに規格の異なる２種類以上の光ディスクを再生することが好適である。また互いに規格の異なる光ディスクがＣＤ（ＣｏｍｐａｃｔＤｉｓｃ）、ＳＡＣＤ（Ｓｕｐｅｒ  Ａｕｄｉｏ  Ｃｏｍｐａｃｔ  Ｄｉｓｃ）、ＤＶＤ（Ｄｉｇｉｔａｌ  Ｖｅｒｓａｔｉｌｅ  Ｄｉｓｃ）であることが好適である。
【００１４】
本願の別の主要な発明は、
自動車のインストルメントパネルに組込まれる再生装置において、
複数の再生ユニットを有し、それぞれの再生ユニットが規格の異なる２種類以上の光ディスクを再生することができるとともに、前記複数の再生ユニットは少なくとも１つ以上の同一規格の光ディスクを共通に再生でき、
前記複数の再生ユニットが規格の異なる２種類以上の光ディスクを判別する順序が異なることを特徴とする再生装置に関するものである。
【００１５】
ここで２組の再生ユニットを有し、一方の再生ユニットがカーナビゲーション装置の地図ソフトが記憶された光ディスクを主として再生し、他方の再生ユニットがオーディオ用またはビデオ用のソフトが記憶された光ディスクを主として再生することが好適である。
【００１６】
判別方法に関する主要な発明は、
複数の再生ユニットを有し、それぞれの再生ユニットが規格の異なる２種類以上の媒体を再生することができるとともに、前記複数の再生ユニットは少なくとも１つ以上の同一規格の媒体を共通に再生できる再生装置において、
前記複数の再生ユニットが規格の異なる２種類以上の媒体を判別する順序が異なることを特徴とする再生装置の媒体の規格の判別方法に関するものである。
【００１７】
本願に含まれる発明の好ましい態様は、いくつかの規格の異なる光ディスクを再生することができる再生ユニットを複数有し、それらの再生ユニットにおいては少なくとも１種類は同じ規格のメディアを再生することができる機器において、それぞれの再生ユニットでのディスクの規格を判別するための判断ロジックをそれぞれの再生ユニットで変えるようにしたものである。
【００１８】
ここで判別ロジックはユーザーが変更できるようにしてもよい。また再生ユニットは、１つの機器として構成されている場合だけではなく、有線、無線等よってデータラインで互いに接続され、別の場所に置かれているものであってもよい。このような態様によれば、この装置の光ディスクの種類の判別が迅速になり、情報の読出しまでの時間が短縮されるようになる。
【００１９】
【発明の実施の形態】
図１は本発明の一実施の形態に係る再生装置を装着した自動車のインストルメントパネル１０を示している。自動車のインストルメントパネル１０であって運転席の前方側の部分にはメータ表示部１１が設けられ、このメータ表示部１１にエンジンの回転数を表示する回転計１２、走行速度を表示する速度計１３、燃料の残量を表示する燃料計１４、エンジンの冷却水の温度を表示する温度計１５等の所要のメータ類が配置されている。
【００２０】
これに対してインストルメントパネル１０上であって運転席と助手席との中間の前方側の部分には、カーナビゲーション装置の表示部を構成するディスプレイ１８、カーラジオ１９、再生装置２０等が設けられている。再生装置２０は光ディスクを再生するための再生装置であって、上下２段に一対のスロット２１、２２を備え、これらのスロット２１、２２を通して光ディスクを挿入し、その再生を行なうようになっている。
【００２１】
図２は上記再生装置２０を拡大して示したものであって、インストルメントパネル１０に組込まれる再生装置２０は偏平な直方体状のキャビネットを有し、２段にスロット２１、２２が設けられている。そしてこれらのスロット２１、２２にそれぞれ光ディスク２５が挿入されるようになっている。なおここでは上側のスロット２１にカーナビゲーション用の地図ソフトが書込まれたＤＶＤ−ＲＯＭまたはＣＤ−ＲＯＭが装着され、下側のスロット２２に音楽あるいは映像に関するソフトが書込まれた光ディスクが装着されるようになっている。
【００２２】
次にこのような再生装置のシステムの構成について説明すると、図３に示すようにこの再生装置２０はＣＰＵ２７を備え、ＣＰＵ２７に入力装置２８とメモリ２９とが接続されている。さらにＣＰＵ２７には上記表示装置１８が接続されている。またこの再生装置は再生ユニット３１、３２をそれぞれ備えている。これらの再生ユニット３１、３２の出力側はセレクタ３３に接続されるとともに、セレクタ３３の出力側がアンプ３４に接続されるようになっている。
【００２３】
次にそれぞれの再生ユニット３１、３２の内部の構造を図４によって説明する。それぞれの再生ユニット３１、３２はＣＰＵ３７を備え、ＣＰＵ３７にはメモリ３８が接続されている。また再生ユニット３１、３２はターンテーブル３９を備え、モータ４０によって駆動されるようになっている。そしてモータ４０がＣＰＵ３７によって制御される。さらに再生ユニット３１、３２はそそれぞれ光ピックアップ４１を備え、この光ピックアップ４１によって光ディスク２５に書込まれた信号の読出しを行なうようになっている。そして光ピックアップ４１がＤＳＰ（Ｄｉｇｉｔａｌ  Ｓｉｇｎａｌ  Ｐｒｏｃｅｓｓｏｒ）４２に接続され、このＤＳＰ４２からビデオ出力あるいはオーディオ出力を取出すようになっている。
【００２４】
このように本実施の形態の再生装置は図３に示すように第１再生ユニット３１と第２再生ユニット３２とを備えている。そして第１再生ユニット３１はＤＶＤおよびＣＤの再生が可能になっている。これに対して第２再生ユニット３２はＳＡＣＤ、ＤＶＤ、ＣＤの再生が可能になっている。第１再生ユニット３１あるいは第２再生ユニット３２に装着された光ディスク２５の信号は、図４に示す光ピックアップ４１によって読出され、ＤＳＰ４２によって信号の処理が行なわれ、これによってビデオ出力あるいはオーディオ出力が出される。
【００２５】
ここで再生ユニット３１、３２はともに規格が異なる２種類以上の光ディスク２５を再生することができる。しかもこれら複数の再生ユニットは少なくとも共通の規格であるＣＤの再生が可能になっている。そして上記のような複数の光ディスク２５の自動判別を図４に示すＣＰＵ３７とメモリ３８とによって行なうようになっている。すなわちメモリ３８に記憶されているディスク判別のロジックによってＣＰＵ３７が所定の順序で光ディスク２５の判別を行なうようにしている。
【００２６】
図５は第１再生ユニット３１による光ディスク２５の判別動作を示している。ここではメモリ３８に記憶されている順に、ＤＶＤ、ＣＤの順で判別動作を行なう。従ってこの判別ロジックによれば、ＤＶＤの場合には１５秒で判別動作が完了する。これに対してＣＤの場合には２０秒で判別されることになる。
【００２７】
一方第２再生装置３２については図６に示す判別ロジックで判別が行なわれる。すなわちここではＣＤ、ＳＡＣＤ、ＤＶＤの順序で判別動作を行なうようにしている。従って図６に示す第２の再生ユニット３２によれば、ＣＤを入れた場合には５秒で判別動作が完了する。
【００２８】
このように再生ユニット３１と再生ユニット３２とでディスクの判別の優先順位を変更することによって、再生しようとしているディスクの優先度の高い再生装置を選ぶことによって、より早くディスク判別を行なうことができ、再生までの時間を短縮できる。
【００２９】
再生ユニット３１が主としてカーナビゲーション用の地図ソフトの再生に用いられるために、主としてＤＶＤ−ＲＯＭあるいはＣＤ−ＲＯＭの読出しを行なうことが多い。従って図５に示す判別動作を行なうことにより、判別時間が短縮される。これに対して再生ユニット３２は車内で音楽を聴くのに用いることが多いために、図６に示すような順番で判別動作を行なうようにしている。ここでとくにＣＤを最も高い優先順位にしているために、ＣＤを再生する場合にはすぐに判別動作が行なわれて音楽の再生までの時間が大幅に短縮されることになる。すなわち第１の再生ユニット３１の場合にはＣＤを入れてから再生までの時間が２０秒なのに対して、第２の再生ユニットの場合には５秒で音楽の再生を行なうことができるようになる。
【００３０】
図７は再生ユニット３２のディスクの判別の優先度を変えた例を示している。ここではＳＡＣＤ、ＣＤ、ＤＶＤの順で判別動作を行なうようにしている。このような判別動作は、とくにこの再生装置の第２の再生ユニット３２で音楽を聴く場合の光ディスクとして、ＳＡＣＤを使用する場合にその時間を短縮できる。すなわちこのロジックによれば、ＳＡＣＤの判別に要する時間が１０秒になり、図６に示す判別ユニットの場合の１５秒の時間よりも５秒短縮できる。
【００３１】
図８はさらに別の優先順位の例を示しており、ここではＤＶＤ、ＣＤ、ＳＡＣＤの順で判別動作を行なうようにしている。従ってとくに第２の再生ユニット３２でＤＶＤによる再生を頻繁に行なう場合には、図８に示す判別ロジックを使うことによって、出力が生ずるまでの時間が短縮される。なおこのような優先度の変更をユーザーが図３に示す入力装置２８を用いて行なうことが可能になっている。
【００３２】
以上本願に含まれる発明を図示の実施の形態によって説明したが、本願に含まれる発明は上記実施の形態によって限定されることなく、本願に含まれる発明の技術的思想の範囲内において各種の変更が可能である。例えば上記実施の形態はカーオーディオとカーナビゲーションの双方のシステムに兼用される再生装置に関するものであるが、本願発明はその他各種の再生装置に広く適用可能である。また再生する光ディスクの種類としても、上述のＣＤ、ＤＶＤ、ＳＡＣＤ以外の各種の光ディスクに広く対応できる。
【００３３】
【発明の効果】
本願の主要な発明は、複数の再生ユニットを有し、それぞれの再生ユニットが規格の異なる２種類以上の媒体を再生することができるとともに、複数の再生ユニットは少なくとも１つ以上の同一規格の媒体を共通に再生できる再生装置であって、複数の再生ユニットが規格の異なる２種類以上の媒体を判別する順序が異なるようにしたものである。
【００３４】
従ってこのような再生装置によれば、各ユニットによって再生される媒体の種類に応じて、判別順序を最適な順序とすることによって、媒体の判別時間を短縮でき、情報の読出しまでの時間の短縮が可能になる。
【００３５】
本願の別の主要な発明は、自動車のインストルメントパネルに組込まれる再生装置において、複数の再生ユニットを有し、それぞれの再生ユニットが規格の異なる２種類以上の光ディスクを再生することができるとともに、複数の再生ユニットは少なくとも１つ以上の同一規格の光ディスクを共通に再生でき、複数の再生ユニットが規格の異なる２種類以上の光ディスクを判別する順序が異なるようにしたものである。
【００３６】
従ってこのような再生装置によれば、自動車のインストルメントパネルに組込まれる再生装置の複数の再生ユニットが再生可能な光ディスクの種別を判別する時間を優先度の高い順としておくことによって情報読出しまでの時間の短縮を行なうことが可能になり、ディスクを再生する準備段階の時間が短くなる。
【図面の簡単な説明】
【図１】自動車のインストルメントパネルの正面図である。
【図２】再生装置の要部斜視図である。
【図３】再生装置のシステムの構成を示すブロック図である。
【図４】再生ユニットの構成を示すブロック図である。
【図５】第１の再生ユニットの判別ロジックのフローチャートである。
【図６】第２の再生ユニットの判別ロジックのフローチャートである。
【図７】第２の再生ユニットの変形例の判別ロジックのフローチャートである。
【図８】第２の再生ユニットのさらに別の変形例の判別ロジックのフローチャートである。
【符号の説明】
１０‥‥インストルメントパネル、１１‥‥メータ表示部、１２‥‥回転計、１３‥‥速度計、１４‥‥燃料計、１５‥‥温度計、１８‥‥ディスプレイ、１９‥‥カーラジオ、２０‥‥再生装置、２１、２２‥‥スロット、２５‥‥光ディスク、２７‥‥ＣＰＵ、２８‥‥入力装置、２９‥‥メモリ、３１‥‥第１再生ユニット、３２‥‥第２再生ユニット、３３‥‥セレクタ、３４‥‥アンプ、３７‥‥ＣＰＵ、３８‥‥メモリ、３９‥‥ターンテーブル、４０‥‥モータ、４１‥‥光ピックアップ、４２‥‥ＤＳＰ（Ｄｉｇｉｔａｌ  Ｓｉｇｎａｌ  Ｐｒｏｃｅｓｓｏｒ）
【図１】
2004241066.tif 000003
【図２】
2004241066.tif 000004
【図３】
2004241066.tif 000005
【図４】
2004241066.tif 000006
【図５】
2004241066.tif 000007
【図６】
2004241066.tif 000008
【図７】
2004241066.tif 000009
【図８】
2004241066.tif 000010